(57)【要約】【課題】風量を減少させることなく、ファンケーシング内での音の共鳴を減少させて、室内へ伝播してくる騒音を低減することができる天井埋込形換気扇を提供することを目的とする。【解決手段】ファンケーシング９は、側面部７が遠心送風羽根６の中心を基準に排気口２と反対側の箇所を平面部１０に形成され、平面部１０は遠心送風羽根６の回転方向に向かうにしたがって本体フレーム３の内周面１１に対し離れていく形状としたことにより、風量を減少させることなく、ファンケーシング９内での音の共鳴を減少させて、室内へ伝播してくる騒音を低減させることができる。【選択図】図２
2010164203.tif 000002
【特許請求の範囲】
【請求項１】
下面を開口して吸気口を有し、側面に排気口を有した箱体状の本体フレームと、前記本体フレームに回転軸を垂直方向にして設けられた電動機に回転駆動される遠心送風羽根と、前記遠心送風羽根の外周を包囲するスクロール状の側面部、および吸込口となるオリフィスを有した下面部からなるファンケーシングとを備えた天井埋込形換気扇であって、前記ファンケーシングは、前記側面部が前記遠心送風羽根の中心を基準に前記排気口と反対側の箇所を平面部に形成され、前記平面部は前記遠心送風羽根の回転方向に向かうにしたがって前記本体フレームの内周面に対し離れていく形状としたことを特徴とする天井埋込形換気扇。
【請求項２】
側面部における平面部の内側面に吸音材を貼付した請求項１記載の天井埋込形換気扇。
【請求項３】
側面部における平面部に凹凸形状を設けた請求項１記載の天井埋込形換気扇。
【請求項４】
平面部の外方に、前記平面部と空間を介して二重構造となる外壁を設けた請求項１〜３のいずれかに記載の天井埋込形換気扇。
【請求項５】
本体フレームの側面に他室からの空気を排気ダクトを介して吸気するための他室用吸気口を設けた天井埋込形換気扇にあって、前記他室用吸気口をファンケーシング側面部の平面部近傍に設けた請求項１記載の天井埋込形換気扇。
【発明の詳細な説明】
【技術分野】
【０００１】
本発明は、天井に設けた開口に埋め込まれ、天井裏に配管され屋外と連通するダクトに接続され、室内の換気を行う天井埋込形換気扇に関する。
【背景技術】
【０００２】
従来より天井埋込形換気扇は、ダクトに接続された状態で十分な風量が得られ、かつ低騒音であることが求められることから、遠心送風羽根を内包したファンケーシングを備えた遠心送風機を組み込んだものが一般的であった（例えば、特許文献１参照）。
【０００３】
以下、従来のこの種の天井埋込形換気扇について、図８および図９を参照しながら説明する。
【０００４】
図８に示すように、換気扇本体１０１における本体ケース１０２の内部上方に電動機１０３が固定されており、電動機１０３の回転軸１０４には遠心送風羽根１０５が固定され、遠心送風羽根１０５はケーシング１０６にて形成された吸気室内に配設され、その下方にオリフィス１０７を設け、オリフィス１０７から室内空気を吸気し、側方に位置する排気口１０８から室外へ排気する遠心送風機の構成となっている。
【０００５】
そして、ケーシング１０６は図９に示すように、連続して弧状をなすスクロール形状１０９に形成されている。
【特許文献１】特開平６−２０７７３３号公報（図１、図３）
【発明の開示】
【発明が解決しようとする課題】
【０００６】
このような従来の天井埋込形換気扇では、運転すると、遠心送風羽根１０５が回転して送風することによりケーシング１０６内で共鳴騒音が発生するが、ケーシング１０６の下面は室内と対向しており、共鳴騒音はこの下面のオリフィス１０７から室内に直進して伝播してくるので、在室者には騒音が届きやすいものであった。
【０００７】
本発明は、このような従来の課題を解決するものであり、風量を減少させることなく、ファンケーシング内での音の共鳴を減少させて、室内へ伝播してくる騒音を低減することができる天井埋込形換気扇を提供することを目的とする。
【課題を解決するための手段】
【０００８】
本発明の天井埋込形換気扇は、上記目的を達成するために、下面を開口して吸気口を有し、側面に排気口を有した箱体状の本体フレームと、前記本体フレームに回転軸を垂直方向にして設けられた電動機に回転駆動される遠心送風羽根と、前記遠心送風羽根の外周を包囲するスクロール状の側面部、および吸込口となるオリフィスを有した下面部からなるファンケーシングとを備えた天井埋込形換気扇であって、前記ファンケーシングは、前記側面部が前記遠心送風羽根の中心を基準に前記排気口と反対側の箇所を平面部に形成され、前記平面部は前記遠心送風羽根の回転方向に向かうにしたがって前記本体フレームの内周面に対し離れていく形状としたものである。
【０００９】
また、他の手段は、側面部における平面部の内側面に吸音材を貼付したものである。
【００１０】
また、他の手段は、側面部における平面部に凹凸形状を設けたものである。
【００１１】
また、他の手段は、平面部の外方に、前記平面部と空間を介して二重構造となる外壁を設けたものである。
【００１２】
また、他の手段は、本体フレームの側面に他室からの空気を排気ダクトを介して吸気するための他室用吸気口を設けた天井埋込形換気扇にあって、前記他室用吸気口をファンケーシング側面部の平面部近傍に設けたものである。
【発明の効果】
【００１３】
本発明によれば、ファンケーシングは、側面部が遠心送風羽根の中心を基準に排気口と反対側の箇所を平面部に形成され、平面部は遠心送風羽根の回転方向に向かうにしたがって本体フレームの内周面に対し離れていく形状としたことにより、風量を減少させることなく、ファンケーシング内での音の共鳴を減少させて、室内へ伝播してくる騒音を低減することができるという効果のある天井埋込形換気扇を提供することができる。
【００１４】
また、側面部における平面部の内側面に吸音材を貼付する、あるいは、側面部における平面部に凹凸形状を設けたことにより、平面部における吸音材または凹凸形状によって、ファンケーシング内での音の共鳴がさらに減少することで、室内へ伝播してくる騒音がさらに減少する。
【００１５】
また、平面部の外方に、平面部と空間を介して二重構造となる外壁を設けたことにより、ファンケーシングから本体フレーム内へ伝播する音が減衰し、本体フレーム内を経て室内で受ける騒音が低減する。
【００１６】
また、本体フレームの側面に他室からの空気を排気ダクトを介して吸気するための他室用吸気口を設けた天井埋込形換気扇にあって、他室用吸気口をファンケーシング側面部の平面部近傍に設けたことにより、他室からも吸気して換気する天井埋込形換気扇にあって、他室からの吸気風路における騒音を併せて低減することができる。
【発明を実施するための最良の形態】
【００１７】
本発明の請求項１記載の天井埋込形換気扇は、ファンケーシングは、側面部が遠心送風羽根の中心を基準に排気口と反対側の箇所を平面部に形成され、前記平面部は前記遠心送風羽根の回転方向に向かうにしたがって本体フレームの内周面に対し離れていく形状としたものであり、ファンケーシング内で発生する音がファンケーシング内で反射するとき、連続して弧状に形成された側面部の一部を平面状に形成することで、反射の状況に変化が起き、ファンケーシング内における共鳴を減少させることとなり、しかも、平面部を形成する箇所が風量にもっとも影響の小さい箇所となるという作用を有する。
【００１８】
また、請求項２記載の天井埋込形換気扇は、側面部における平面部の内側面に吸音材を貼付したものであり、平面部において反射する音が吸音されて反射の状況がさらに変化し、共鳴をさらに減少させることができる。
【００１９】
また、請求項３記載の天井埋込形換気扇は、側面部における平面部に凹凸形状を設けたものであり、平面部における音の反射の変化が凹凸形状によって大きくなり、共鳴の減少がさらに大きくなる。
【００２０】
また、請求項４記載の天井埋込形換気扇は、平面部の外方に、前記平面部と空間を介して二重構造となる外壁を設けたものであり、２重構造となる外壁を設けることで、空気の層ができ、ファンケーシングから本体フレーム内を経て室内へ伝播する音が減衰する。
【００２１】
また、請求項５記載の天井埋込形換気扇は、本体フレームの側面に他室からの空気を排気ダクトを介して吸気するための他室用吸気口を設けた天井埋込形換気扇にあって、前記他室用吸気口をファンケーシング側面部の平面部近傍に設けたものであり、他室用吸気口と同程度の高さまでファンケーシングが形成されていても、遠心送風羽根の回転方向に向かうにしたがって前記本体フレームの内周面に対し離れていく形状のファンケーシング側面部の平面部によって、他室からの吸気風路が確保される。
【００２２】
以下、本発明の実施の形態について、図１〜図７を参照しながら説明する。
【００２３】
（実施の形態１）
図１および図２に示すように、下面を開口して吸気口１を有し、側面に排気口２を有した箱体状の本体フレーム３と、本体フレーム３に回転軸４を垂直方向にして設けられた電動機５に回転駆動される遠心送風羽根６と、遠心送風羽根６の外周を包囲するスクロール状の側面部７、および吸込口となるオリフィス８を有した下面部からなるファンケーシング９とを備えた天井埋込形換気扇であって、ファンケーシング９は、側面部７が遠心送風羽根６の中心を基準に排気口２と反対側の箇所を平面部１０に形成され、平面部１０は遠心送風羽根６の回転方向に向かうにしたがって本体フレーム３の内周面１１に対し離れていく形状としている。
【００２４】
上記構成によれば、ファンケーシング９内で発生する音がファンケーシング９内で反射するとき、連続して弧状に形成された側面部７の一部を平面状に形成することで、反射の状況に変化が起き、ファンケーシング９内における共鳴を減少させることとなり、しかも、平面部１０を形成する箇所が風量にもっとも影響の小さい箇所となる。
【００２５】
このように実施の形態１によれば、風量を減少させることなく、ファンケーシング９内での音の共鳴を減少させて、室内へ伝播してくる騒音を低減することができるため、在室者に対して低騒音の天井埋込形換気扇を提供することができる。また、平面部１０にすることで、ファンケーシング９の構成する樹脂の量を低減することができ、コスト低減にもつながる。
【００２６】
（実施の形態２）
実施の形態２の天井埋込形換気扇は、図３に示すように、上記実施の形態１の天井埋込形換気扇に対し、ファンケーシング９の側面部７における平面部１０の内側面に別体の構成要素である吸音材１２を貼付した点が相違する。
【００２７】
上記構成によれば、平面部１０において反射する音が吸音されて反射の状況がさらに変化し、共鳴をさらに減少させることができる。
【００２８】
このように実施の形態２の天井埋込形換気扇によれば、平面部１０における吸音材１２によって、ファンケーシング９内での音の共鳴がさらに減少することで、室内へ伝播してくる騒音をさらに減少させることができる。
【００２９】
（実施の形態３）
実施の形態３の天井埋込形換気扇は、図４に示すように、上記実施の形態１の天井埋込形換気扇に対し、ファンケーシング９の側面部７における平面部１０の内側面に凹凸形状１３を設けた点が相違する。
【００３０】
上記構成によれば、平面部１０における音の反射の変化が凹凸形状１３によって大きくなり、共鳴の減少をさらに大きくすることができる。
【００３１】
このように実施の形態３の天井埋込形換気扇によれば、平面部１０における凹凸形状１３によって、ファンケーシング９内での音の共鳴がさらに減少することで、室内へ伝播してくる騒音をさらに減少させることができる。
【００３２】
（実施の形態４）
実施の形態４の天井埋込形換気扇は、図５に示すように、上記実施の形態１の天井埋込形換気扇に対し、平面部１０の外方に、平面部１０と空間を介して二重構造となる外壁１４を設けた点が相違する。
【００３３】
上記構成によれば、二重構造となる外壁１４を設けることで、空気の層ができ、ファンケーシング９から本体フレーム３内を経て室内へ伝播する音を減衰させることができる。
【００３４】
このように実施の形態４の天井埋込形換気扇によれば、室内へ伝播してくる騒音がさらに減少する。
【００３５】
（実施の形態５）
実施の形態５の天井埋込形換気扇は、図６および図７に示すように、上記実施の形態１の天井埋込形換気扇に対し、本体フレーム３の側面に他室からの空気を排気ダクト１５を介して吸気するための他室用吸気口１６を設け、他室用吸気口１６をファンケーシング９の側面部７における平面部１０の近傍に設けた点が相違する。
【００３６】
上記構成によれば、他室用吸気口１６と同程度の高さまでファンケーシング９が形成されていても、遠心送風羽根６の回転方向に向かうにしたがって本体フレーム３の内周面１１に対し離れていく形状のファンケーシング９の平面部１０によって、他室からの吸気風路が確保される。
【００３７】
このように実施の形態５の天井埋込形換気扇によれば、他室用吸気口１６をファンケーシング９の側面部７の平面部１０近傍に設けたことにより、他室からも吸気して換気する天井埋込形換気扇にあって、他室からの吸気風路における騒音を併せて低減することができる。
【産業上の利用可能性】
【００３８】
本発明に係わる天井埋込形換気扇は、スクロール形状を有したファンケーシングを備え、天井に埋め込んで設置する換気装置全般に有効である。
【図面の簡単な説明】
【００３９】
【図１】本発明の実施の形態１の天井埋込形換気扇を示す側断面図
【図２】同天井埋込形換気扇の吸気口側からみた底面図
【図３】本発明の実施の形態２の天井埋込形換気扇の要部拡大図
【図４】本発明の実施の形態３の天井埋込形換気扇の要部拡大図
【図５】本発明の実施の形態４の天井埋込形換気扇の要部拡大図
【図６】本発明の実施の形態５の天井埋込形換気扇を示す側断面図
【図７】同天井埋込形換気扇の吸気口側からみた底面図
【図８】従来の天井埋込形換気扇の側断面図
【図９】同天井埋込形換気扇の吸気口側からみた底面図
【符号の説明】
【００４０】
１    吸気口
２    排気口
３    本体フレーム
４    回転軸
５    電動機
６    遠心送風羽根
７    側面部
８    オリフィス
９    ファンケーシング
１０  平面部
１１  内周面
１２  吸音材
１３  凹凸形状
１４  外壁
１５  排気ダクト
１６  他室用吸気口
【図１】
2010164203.tif 000003
【図２】
2010164203.tif 000004
【図３】
2010164203.tif 000005
【図４】
2010164203.tif 000006
【図５】
2010164203.tif 000007
【図６】
2010164203.tif 000008
【図７】
2010164203.tif 000009
【図８】
2010164203.tif 000010
【図９】
2010164203.tif 000011